【手続補正書】
【提出日】平成17年6月1日(2005.6.1)
【手続補正１】
【補正対象書類名】明細書
【補正対象項目名】００５０
【補正方法】変更
【補正の内容】
【００５０】
【図１】プレゼンスサービスの論理的なユニットの概略図である。
【図２】通信システムを介して第２の通信ユニットと接続されている第１の通信ユニットの概略図である。
【図３】プロファイル「オフィス」に統合されている、ユーザに対応付けられている通信ユニットの通信情報の図である。
【図４】プロファイル「余暇」に統合されている、ユーザに対応付けられている通信ユニットの通信情報の図である。
【符号の説明】
２  第１のユーザ、プレゼンティティ、  ４  第２のユーザ、ウォッチャ、  ６  プレゼンスサービス、  ８  プレゼンス情報、通信情報、  Ａ１  Ｅ１についての第１の使用者プロフィール、  Ａ２  Ｅ１についての第２の使用者プロフィール、  Ｂ１  第１のユーザ、  Ｂ２  第２のユーザ、  Ｅ１  第１の通信ユニット、  Ｅ２  第２の通信ユニット、  Ｉ１  Ｅ１ないしＢ１についての通信情報、  Ｋ  通信システム、  Ｍ１１１、Ｍ１２１、Ｍ１２２  Ｅ１についての通信手段、  Ｍ２１１、Ｍ２１２  Ｅ２についての通信手段、  Ｐ１  Ｅ１についての第１のプレゼンスプロフィール、  Ｐ２  Ｅ１についての第２のプレゼンスプロフィール、  Ｖ１１、Ｖ１２  Ｅ１についての通信装置、  Ｖ２１  Ｅ２についての通信装置、  Ｗ１  Ｅ１についての第１の伝送プロフィール、  Ｗ２  Ｅ１についての第２の伝送プロフィール
【手続補正２】
【補正対象書類名】特許請求の範囲
【補正対象項目名】全文
【補正方法】変更
【補正の内容】
【特許請求の範囲】
【請求項１】
通信情報を供給する方法であって、
第１の通信ユニット（Ｅ１）の通信情報（Ｉ１）を該第１の通信ユニット（Ｅ１）に対応付けられている通信システム（Ｋ１）を介して供給する、通信情報を供給する方法において、
前記通信情報は、前記第１の通信ユニットとの通信コネクションを確立する通信可能性（Ｍ１１１、Ｍ１２１、Ｍ１２２；Ｖ１１、Ｖ１２）に関する記述を有し、
第２の通信ユニット（Ｅ２）が前記通信システム（Ｋ１）に関する前記第１の通信ユニットの通信情報（Ｉ１）を問合せ、所定の通信可能性を選択し、選択された該通信可能性を介する前記第１の通信ユニット（Ｅ１）との通信コネクションを確立することを特徴とする、通信情報を供給する方法。
【請求項２】
前記第１の通信ユニット（Ｅ１）に複数の通信装置（Ｖ１１、Ｖ１２）を対応付け、該通信装置（Ｖ１１、Ｖ１２）を通信可能性に関する前記記述に表す、請求項１記載の方法。
【請求項３】
前記通信装置（Ｖ１１、Ｖ１２）の各々にそれぞれ１つまたは複数の通信手段（Ｍ１１１、Ｍ１２１、Ｍ１２２）を対応付け、該通信手段（Ｍ１１１、Ｍ１２１、Ｍ１２２）を通信可能性に関する前記記述に表す、請求項２記載の方法。
【請求項４】
前記通信手段（Ｍ１１１、Ｍ１２１、Ｍ１２２）の各々に通信アドレスを対応付け、該通信アドレスを通信可能性に関する記述に表す、請求項３記載の方法。
【請求項５】
前記通信手段（Ｍ１１１、Ｍ１２１、Ｍ１２２）の各々に、目下の時点において前記通信手段を介する前記第１の通信ユニット（Ｅ１）との通信コネクションを確立可能であるか否かを表すアクセス可能性情報を対応付け、該アクセス可能性情報を通信可能性に関する前記記述に表す、請求項３または４記載の方法。
【請求項６】
前記通信手段（Ｍ１１１、Ｍ１２１、Ｍ１２２）のうちの１つまたは複数の通信手段に、どの通信手段を介して前記第１の通信ユニット（Ｅ１）との通信コネクションが有利に確立されるか否かを表す優先情報を対応付け、該優先情報を通信可能性に関する前記記述に表す、請求項３から５までのいずれか１項記載の方法。
【請求項７】
前記第１の通信ユニットの通信情報（Ｉ１）はさらに、該第１の通信ユニットに対応付けられているユーザ（Ｂ１）に関するユーザ情報を有する、請求項１から６までのいずれか１項記載の方法。
【請求項８】
通信装置（Ｖ１１、Ｖ１２）の選択及び／又は通信手段（Ｍ１１１、Ｍ１２１、Ｍ１２２）の選択及び／又はユーザ情報をプレゼンスプロファイルに統合し、該プレゼンスプロファイルを別の通信ユニット（Ｅ２）による問合せのために公開する、請求項２から５までのいずれか１項記載の方法。
【請求項９】
前記第１の通信ユニット（Ｅ１）に複数の異なるプレゼンスプロファイル（Ｐ１、Ｐ２）を対応付ける、請求項８記載の方法。
【請求項１０】
前記第２の通信ユニット（Ｅ２）は、前記通信情報（Ｉ１）を問合せる前に認証を実行する、請求項１記載の方法。
【請求項１１】
前記第２の通信ユニット（Ｅ２）に、第１の通信ユニットまたは別の通信ユニットの通信情報から成る記述を第２の通信ユニット（Ｅ２）に伝送すべき所定の通信装置及び／又は通信手段及び／又はユーザ情報の選択が表されている１つまたは複数の伝送プロファイルを対応付ける、請求項１から１０までのいずれか１項記載の方法。
【請求項１２】
前記第１の通信ユニット（Ｅ１）に、別の通信ユニットの通信情報から成る記述を前記第１の通信ユニット（Ｅ１）に伝送すべき所定の通信装置及び／又は通信手段及び／又はユーザ情報の選択が表されている１つまたは複数の伝送プロファイル（Ｗ１、Ｗ２）を対応付ける、請求項８から１１までのいずれか１項記載の方法。
【請求項１３】
前記第１の通信ユニット（Ｅ１）に、それぞれ所定のプレゼンスプロファイル（Ｐ１、Ｐ２）及び所定の伝送プロファイル（Ｗ１、Ｗ２）から成る１つまたは複数の使用者プロファイル（Ａ１、Ａ２）を対応付ける、請求項１２記載の方法。
【請求項１４】
前記第１の通信ユニット（Ｅ１）の通信情報（Ｉ１）、プレゼンスプロファイル（Ｐ１、Ｐ２）、伝送プロファイル（Ｗ１、Ｗ２）及び／又は使用者プロファイル（Ａ１、Ａ２）を通信システム（Ｋ）に記憶する、請求項８から１３までのいずれか１項記載の方法。
【請求項１５】
前記プレゼンスプロファイル（Ｐ１、Ｐ２）及び／又は伝送プロファイル（Ｗ１、Ｗ２）及び／又は使用者プロファイル（Ａ１、Ａ２）のうちの１つの所定のプロファイルを、通信システム（Ｋ）を介して供給するために前記第１の通信ユニットに対応付けられているユーザ（Ｂ１）が選択する、請求項９から１４までのいずれか１項記載の方法。
【請求項１６】
前記プレゼンスプロファイル（Ｐ１、Ｐ２）及び／又は伝送プロファイル（Ｗ１、Ｗ２）及び／又は使用者プロファイル（Ａ１、Ａ２）のうちの１つの所定のプロファイルを、通信システム（Ｋ）を介して供給するために所定の判定基準に応じて該通信システム（Ｋ）が選択する、請求項９から１４でのいずれか１項記載の方法。
【請求項１７】
前記所定の判定基準は時間区分、曜日、または第１の通信ユニットに対応付けられているユーザ（Ｂ１）の所在地を示す、請求項１６記載の方法。
【請求項１８】
前記ユーザ情報は前記ユーザの精神的または身体的状態を包含する、請求項７から１７までのいずれか１項記載の方法。
【請求項１９】
前記通信装置（Ｖ１１、Ｖ１２、Ｖ２１）のうちの１つは、移動電話、固定網電話、携帯可能なコンピュータ、定置のコンピュータまたはページャを包含する、請求項１から１８までのいずれか１項記載の方法。
【請求項２０】
前記通信手段（Ｍ１１１、Ｍ１２１、Ｍ１２２、Ｍ２１１、Ｍ２１２）のうちの１つは、テレフォニ、インスタントメッセージングサービス、ＭＭＳ、ＳＭＳ、Ｅメールサービスまたはファックスサービスを包含する、請求項１から１９までのいずれか１項記載の方法。
【請求項２１】
前記通信システム（Ｋ）は移動無線網、電話網及び／又はインターネットプロトコルを基礎とする通信網を有する、請求項１から２０までのいずれか１項記載の方法。
【請求項２２】
前記通信システム（Ｋ）はプレゼンスサービスを有する、請求項１から２１までにいずれか１項記載の方法。
【請求項２３】
例えば請求項１から２３までのいずれか１項記載の方法を実施する通信システム（Ｋ）において、
該通信システム（Ｋ）に対応付けられている第１のユーザ（Ｂ１）の第１の通信ユニット（Ｅ１）との通信コネクションを確立できる通信可能性（Ｍ１１１、Ｍ１２１、Ｍ１２２；Ｖ１１、Ｖ１２）に関する記述を有する通信情報（Ｉ１）が記憶される構成要素を有し、
通信システムはさらに、該第２の通信ユニット（Ｅ２）は前記第１の通信ユニット（Ｅ１）の通信情報（Ｉ１）を前記構成要素に問合せ、所定の通信可能性を選択し、選択された該通信可能性を介する前記第１の通信ユニット（Ｅ１）との通信コネクションを確立するために設計されている第２の通信ユニット（Ｅ２）を有することを特徴とする、通信システム（Ｋ）。
【請求項２４】
前記構成要素には、前記第１の通信ユニットに対応付けられている通信装置（Ｖ１１、Ｖ１２）の選択及び／又は通信手段（Ｍ１１１、Ｍ１２１、Ｍ１２２）の選択及び／又は第１のユーザ（Ｂ１）に関するユーザ情報から成り、前記第１の通信ユニット（Ｅ１）の通信情報（Ｉ１）として供給される１つまたは複数のプレゼンスプロファイル（Ｐ１、Ｐ２）が記憶される、請求項２３記載の通信システム。
【請求項２５】
前記構成要素には、他の通信ユニットの通信情報から成る記述を前記第１の通信ユニット（Ｅ１）に伝送すべき所定の通信装置及び／又は通信手段及び／又はユーザ情報の選択が表されている１つまたは複数の伝送プロファイル（Ｗ１、Ｗ２）が記憶される、請求項２３または２４記載の通信システム。
【請求項２６】
前記構成要素には、それぞれ所定のプレゼンスプロファイル（Ｐ１、Ｐ２）及び所定の伝送プロファイル（Ｗ１、Ｗ２）から成る１つまたは複数の使用者プロファイル（Ａ１、Ａ２）が記憶される、請求項２３から２５までのいずれか１項記載の通信システム。
【請求項２７】
さらに、前記構成要素に記憶される１つまたは複数のプロファイルを前記通信システム（Ｋ）を介して供給するために選択する選択装置を有する、請求項２４から２６までのいずれか１項記載の通信システム。
【請求項２８】
前記選択手段は、前記第１のユーザ（Ｂ１）の指示に基づき、または、時間区分、曜日または該第１のユーザ（Ｂ１）の所在地に依存して自動的に選択を実施する、請求項２７記載の通信システム。
【請求項２９】
例えば請求項１から２２までのいずれか１項記載の方法を実施する通信装置において、
通信ユニット（Ｅ１）の通信情報（Ｉ１）を該通信ユニットに対応付けられている通信システム（Ｋ）へと及び／又は通信システム（Ｋ）から伝送する装置を有することを特徴とする、通信装置。
【請求項３０】
さらに通信ユニット（Ｅ１）の前記通信情報（Ｉ１）を表示及び変更する装置を有する、請求項２９記載の通信装置。
【請求項３１】
さらに通信ユニット（Ｅ１）の所定の通信情報（Ｉ１）をプロファイル（Ｐ１、Ｐ２、Ｗ１、Ｗ２、Ａ１、Ａ２）に統合する装置を有する、請求項２９または３０記載の通信装置。
【請求項３２】
さらに前記プロファイル（Ｐ１、Ｐ２、Ｗ１、Ｗ２、Ａ１、Ａ２）のうちの１つまたは複数のプロファイルを選択する装置を有する、請求項３１記載の通信装置。